(57)【特許請求の範囲】
【請求項１】
リール脚保持部の内部空間にリール脚を保持する保持機構が形成されている可動フードをシートベースに装着してあるリールシートであって、
前記可動フードを前記シートベースに外嵌される円筒状のフード本体部と前記リール脚保持部とで構成し、前記リール脚保持部を前記フード本体部より円周方向外方に向けて膨出形成し、前記リール脚保持部におけるリール脚の側端に当接する相対向する左右の内向き側壁に、入口側から奥側に向けて平板面状の導入部と、その更に奥側に平板面状の保持傾斜面部とを立設して前記保持機構を構成し、前記左右の導入部同士の間隔及び前記左右の保持傾斜面部同士の間隔を、夫々、奥側ほど短い間隔となるように傾斜させ、前記保持傾斜面部の傾斜角度を前記導入部の傾斜角度より大きくしてあるリールシート。
【請求項２】
前記保持傾斜面部の更に奥側に奥側孔部が所定の奥行き長さで形成してあり、この奥側孔部での前記傾斜角度は前記保持傾斜面部の傾斜角度より小さくしてある請求項１記載のリールシート。
【請求項３】
前記保持傾斜面部の傾斜角度を５°〜１５°の範囲に設定してある請求項１又は２記載のリールシート。
【請求項４】
前記シートベースに、前記可動フードの装着部位に隣接してリール脚載置部を形成し、前記リール脚載置部におけるリール脚を載置する左右方向の幅を、リール脚載置部の竿先側端と竿尻側端との中間に位置する程、竿軸線に近接する幅狭に形成してある請求項１から３のうちのいずれかひとつに記載のリールシート。
【発明の詳細な説明】
【技術分野】
【０００１】
本発明は、リール脚保持部の内部空間にリール脚を保持する保持機構が形成されている可動フードをシートベースに装着してあるリールシートに関する。
【背景技術】
【０００２】
前記保持機構を構成するに、リール脚保持部の内部空間に、開口縁から奥側に向かって徐々に縮径するテーパ筒状面を形成していた（特許文献１）。
【特許文献１】特開２００６−６２８０号公報（段落〔００１７〕，図２）
【発明の開示】
【発明が解決しようとする課題】
【０００３】
可動フードのリール脚保持部に設ける保持機構を、上記したように、一つのテーパ筒状面だけで構成する場合には、図７（ロ）でも示すように、傾斜角度が一定の角度でテーパ筒状面が形成されるので、傾斜角度が比較的緩やかなものであり、リールの仕様が異なりリール脚の幅が異なると、テーパ筒状面で受け止める位置が奥行き方向で大きく変動することになり、リール仕様が異なるとリールシートにおけるリールの固定位置が大きく変動することになっていた。
その為に、釣り竿を支持する場合の持ち重り感や、リールから穂先竿先端までの重量と、リールから元竿の竿尻端までの重量とのバランスが変動することになり、釣り操作に影響を与えることとなっていた。
【０００４】
本発明の目的は、可動フードのリール脚を保持する保持機構に、簡単な変更を加えることによって、持ち重り感の少ない、重量バランスの崩れが少ないリールシート及びリールシート付き釣り竿を提供する点にある。
【課題を解決するための手段】
【０００５】
〔構成〕
本第１発明の特徴構成は、前記可動フードを前記シートベースに外嵌される円筒状のフード本体部と前記リール脚保持部とで構成し、前記リール脚保持部を前記フード本体部より円周方向外方に向けて膨出形成し、前記リール脚保持部におけるリール脚の側端に当接する相対向する左右の内向き側壁に、入口側から奥側に向けて平板面状の導入部と、その更に奥側に平板面状の保持傾斜面部とを立設して前記保持機構を構成し、前記左右の導入部同士の間隔及び前記左右の保持傾斜面部同士の間隔を、夫々、奥側ほど短い間隔となるように傾斜させ、前記保持傾斜面部の傾斜角度を前記導入部の傾斜角度より大きくしてある点にあり、その作用効果は次の通りである。
【０００６】
〔作用〕
保持機構を構成するに、まず、二つの傾斜面を奥行き方向に連設し、奥側に形成した保持傾斜面部を傾斜角度の大きなものにした。
このような構成によって、装着されるリール脚は、導入部に接触して奥側に案内されながら、保持傾斜面部に至って受け止められる。この保持傾斜面部は傾斜角が大きなものに構成されているので、リール脚の幅が異なる二種類のリールを取付ける場合であっても、図７（イ）に示すように、リール脚の固定位置が大きく変動しないものとなる。
【０００７】
〔効果〕
上記したように、二つの傾斜面を奥行き方向に連設し、奥側に傾斜角度の大きな保持傾斜面部を配置する構成によって、仕様の異なるリール脚幅の異なるものであっても、リール脚の固定位置が大きく変動しないものとなる。
したがって、持ち重り感の少ない、重量バランスの崩れが少ないリールシートを提供することができた。
【０００８】
〔構成〕
本第２発明の特徴構成は、前記保持傾斜面部の更に奥側に奥側孔部が所定の奥行き長さで形成してあり、この奥側孔部での前記傾斜角度は前記保持傾斜面部の傾斜角度より小さくしてある点にあり、その作用効果は次の通りである。
【０００９】
〔作用効果〕
リール脚部の長手方向中間部分を、保持傾斜面部と奥側孔部との接続部位で受止固定されたリール脚の先端部は奥側孔部内に位置する。これによって、リール脚の先端幅が保持傾斜面部間の間隔より狭いものであっても、リール脚部の長手方向中間部分を保持傾斜面部によって、受け止めることができ、この可動フードで受け止めることのできるリールの仕様範囲を大きくできる。
【００１０】
〔構成〕
本第３発明の特徴構成は、前記保持傾斜面部の傾斜角度を５°〜１５°の範囲に設定してある点にあり、その作用効果は次の通りである。
【００１１】
〔作用効果〕
リール脚の横側面に形成されている傾斜角度が０°から１°の範囲にあると考えられる。これに対して、保持傾斜面部の傾斜角度を５°から１５°に設定したので、リール脚の幅が異なるリールを取り付ける場合であっても、保持傾斜面部で固定されるリール脚の位置に大きな変動はなく、請求項１に記載した、持ち重り感の少ない、重量バランスの崩れが少ないリールシートを提供することができる。
【００１２】
〔構成〕
本第４発明の特徴構成は、前記シートベースに、前記可動フードの装着部位に隣接してリール脚載置部を形成し、前記リール脚載置部におけるリール脚を載置する左右方向の幅を、リール脚載置部の竿先側端と竿尻側端との中間に位置する程、竿軸線に近接する幅狭に形成してある請求項１から３のうちのいずれかひとつに記載のリールシートを提供する点にあり、その作用効果は次の通りである。
【００１３】
〔作用効果〕
請求項１〜３に対応する作用効果の項で記載したように、握り易く、装着リールの仕様範囲を広くして兼用化の高いリールシートを装着することができ、持ち重り感が少なく、重量バランスの崩れが少ない釣り竿を提供できるに至った。
【発明を実施するための最良の形態】
【００１４】
船釣りに使用される釣り竿Ａについて説明する。図１及び図６に示すように、釣り竿Ａは、筒状細径のブランク１にフロントグリップ２を装着し、フロンドグリップ２の竿尻側にリールシート３を取り付け、リールシート３の竿尻側にリアグリップ４を取り付けて構成してある。
【００１５】
リールシート３の構造について説明する。リールシート３は、竿尻側（元側）に配置した固定フード５、その固定フード５及びトリガー６を一体に形成したシートベース７、シートベース７の竿先端部（先側）に形成したネジ部７Ａに螺合するナット部材８と、そのナット部材８によって駆動移動される可動フード１０とを装備して、構成してある。
【００１６】
シートベース７について説明する。図１及び図２に示すように、シートベース７は、竿先側に形成したネジ部７Ａから竿尻側に掛けて筒状体を基本とした構成を採っており、竿尻側に固定フード５及びその下方にトリガー６を延出して構成してある。
シートベース７は、ＡＢＳ樹脂、ナイロン、ポリカーボネート等の合成樹脂を射出成形して、製造される。
【００１７】
シートベース７における可動フード１０の装着部位と固定フード５との間には、リール脚取付部が形成してある。リール脚取付部においては、可動フード１０に近い側に円形外周面部７Ｂを設けてあり、円形外周面部７Ｂの竿尻側にリール脚Ｒａを載置する平面状のリール脚載置部７Ｃを設けてある。
【００１８】
リール脚載置部７Ｃは、軸線方向において一定の長さを有しているが、軸線方向に直交する左右方向では、後記する円周面部７Ｈを挾んで両側に平坦面部を形成しており、前記平坦面部は軸線方向での竿先側端（先側端）と竿尻側端（元側端）とが広い幅Ｗでかつ中間位置が狭い幅ｗに設定されている。
上記のような構成を採るのは、小型の両軸受リールＲであってスプールの両側方に配置される両ケース部Ｒｂの間隔が小さなものであっても、両ケース部Ｒｂを狭い幅ｗの両側方に位置させて、両軸受けリールＲを取り付けることができるようにするためである。
【００１９】
つまり、図１及び図２に示すように、リール脚載置部７Ｃの横側方下方に、下端側ほど横外側に広がる傾斜面部７Ｄを形成する。この傾斜面部７Ｄの上端とリール脚載置部７Ｃの横側端との接続部位に形成される二本の境界線Ｄが、平面視で、リール脚載置部７Ｃの竿先側端と竿尻側端との中間に位置するほど、竿軸線Ｘに対して近接する曲線に形成してある。
【００２０】
これによって、二本の境界線Ｄが最も近接する位置で、リール脚載置部７Ｃの横側端同士の間隔が小さくなるので、両軸受リールＲのケース部Ｒｂと突出面部及び傾斜面部７Ｄとの干渉を回避して、小型の両軸受リールＲであっても装着可能である。
【００２１】
図２及び図６に示すように、リール脚載置部７Ｃの左右幅方向の中間位置には円周面部７Ｈが形成してあり、この円周面部７Ｈはリール脚載置部７Ｃの左右側方部分に形成された平坦部より若干盛り上がった円弧状態に形成されている。この円周面部７Ｈは円形外周面部７Ｂと同一周面上にあり、リール脚Ｒａの裏面側に設けられている湾曲状態に沿うべく構成してある。円周面部７Ｈの中ほどには、平面視で長方形状の浅い凹部７ｂが形成されており、リール脚Ｒａの裏面との接触面積の低減化を図っている。これによって、リール脚Ｒａの裏面と円周面部７Ｈでの接触が良好になり、リールＲの載置状態が安定する。
【００２２】
リール脚載置部７Ｃの周辺部分について説明する。図１及び図２,図６に示すように、シートベース部分においては、上面にリール脚載置部７Ｃを備えており、リール脚載置部７Ｃの左右両端から下向きに左右の前記した傾斜面部７Ｄを設けてある。この傾斜面部７Ｄは、下側程左右に広がる傾斜状態を呈している。
【００２３】
図５に示すように、傾斜面部７Ｄの下端位置には、横側方に突出する左右の突出面部７Ｅを形成してある。傾斜面部７Ｄの下端と突出面部７Ｅの上端との接続部分が、固定フード５の外周面より横側方に突出させてあり、この横側方に突出した部分を、左右の突出面部７Ｅにおける突出端７ａという。左右の突出面部７Ｅと、竿軸芯Ｘを挟んで前記リール脚載置部存在側とは反対側に位置する指当て周部７Ｇとに亘って、径方向外向きに膨出する膨出面部７Ｆを配置して、突出面部７Ｅから膨出面部７Ｆを介して指当て周部７Ｇに亘る範囲で連続曲面を形成してある。
【００２４】
以上のような構成を採るのは、次ぎのような理由による。つまり、両軸受けリールＲを握った釣り人の指がシートベース部分を握り易くするためである。図５に示すように、リール脚Ｒａをリール脚載置部７Ｃに載置して両軸受リールＲを取り付けた場合に、両側に位置するケース部Ｒｂの下端から指当て周部７Ｇに指を回していく際に、指で安定して握り易いように、丸みを帯びた曲面を形成してある。
【００２５】
さらに詳しく説明すると、シートベースにおけるリール脚載置部７Ｃを形成している部分に左右の突出面部７Ｅを形成している。この左右の突出面部７Ｅは突出端７ａが固定フード５の外周面よりも横側方に突出する状態にあるので、両軸受リールＲをリール脚載置部７Ｃに取り付けた状態で、両軸受リールＲの両側部に位置するケース部Ｒｂの下端に、左右の突出面部７Ｅの突出端７ａを近接させることができる。
【００２６】
これに加えて、左右の突出面部７Ｅと、竿軸芯Ｘを挟んで前記リール脚載置部存在側とは反対側に位置する指当て周部７Ｇとに間に、径方向外向きに膨出する膨出面部７Ｆを配置して、突出面部７Ｅから膨出面部７Ｆを介して指当て周部７Ｇに亘る範囲で連続した曲面を形成してあるので、ケース部Ｒｂの側面から突出面部７Ｅ、膨出面部７Ｆを介して指当て周部７Ｇに至る連続する面を想定することができ、手指が強く圧迫される角部の存在をなくして、自然な手指の状態でシートベース部分を握ることができる。
【００２７】
したがって、両軸受リールＲのケース部Ｒｂの側面にあてがった手の掌から下方に延出された手指部分は、ケース部Ｒｂの下端から突出面部７Ｅにあてがうのに、ケース部Ｒｂの側面にあてがった姿勢から大きく屈折させることなく延出させるだけで、突出面部７Ｅにあてがうことが可能である。
そして、その突出面部７Ｅにあてがった手指の指先は、連続曲面として形成された膨出面部７Ｆから指当て周部７Ｇに沿ってあてがわれるので、握る際の痛みや圧迫感を感じることが少ない。
【００２８】
図１及び図２に示すように、突出面部７Ｅの上端と傾斜面部７Ｄとの接続部位が左右に突出する突出端７ａとなっている点に言及したが、この突出端７ａは竿軸線方向において所定長さに亘って形成されている。
【００２９】
つまり、突出面部７Ｅと傾斜面部７Ｄとは、竿の軸線方向に沿った所定長さで形成されており、突出面部７Ｅの上端と傾斜面部７Ｄの下端との接続部位も竿軸線方向に沿って一定の線分を形成している。この線分が前記した突出端７ａを連ねた突出端線Ｅを形成する。突出端線Ｅは、平面視において、竿軸線方向での中間部ほど横外側に膨出する湾曲形状に形成してある。これによって、トリガー６の前面に接させる中指等が突出端線Ｅの中膨れ頂点部位に接触して、竿先側への移動が規制され、握りが安定するものとなる。
【００３０】
図３及び図４に示すように、リアグリップ４におけるブランク１の取付位置は、リアグリップ４の竿軸線Ｘに対して下側に偏芯した位置に形成されている。それを受けて、固定フード５、及び、シートベース７においても、竿軸線Ｘに対して偏芯した位置にある。
このように、ブランク１の挿通位置が下側に偏芯した位置にあるので、つぎのようなことが言える。
【００３１】
ここでは、比較のために、リアグリップ４の軸線位置にブランク１を挿通したものを、図４（ロ）に記載する。まず、図４（イ）に示すように、リアグリップ４及びシートベース７において、共通の竿軸線Ｘに対してリール脚載置部７Ｃとは反対側に偏芯した状態でブランク１が存在する。ブランク１は偏芯した軸線Ｙに沿って配置してある。
【００３２】
図４（イ）に示すように、リール脚載置部７ＣにリールＲを載置し、固定フード５の外周面からリールＲの上端位置までの間隔をＬ１とする。これに対して、図４（ロ）に示すように、ブランク１が固定フード５の軸線Ｘと一致した軸芯上に配置してある場合に、リール脚載置部７ＣにリールＲを載置し、固定フード５の外周面からリールＲの上端位置までの間隔をＬ２とする。
【００３３】
上記した場合において、ブランク１の取付位置がリアグリップ４及び固定フード５の軸線Ｘから偏芯した位置でかつリール脚載置部７Ｃから離れる方向に偏芯しているので、リール脚載置部７Ｃがリアグリップ４及び固定フード５の軸線Ｘに近接する方向に形成されることとなり、上記したように、リールＲの上端位置とリアグリップ４の外周面との間隔Ｌ１が、ブランク１がリアグリップ４の竿軸線Ｘと一致した軸芯上に配置してある場合の前記間隔Ｌ２より短くなっている。
【００３４】
前記したように、リールＲの上端位置と固定フード５の外周面との間隔Ｌ１が小さくなっているので、握り易い構造となっている。例えば、親指をリールＲの上端面にあてがい、リールＲの一側面を覆うよう手指をあてがいシートベース７の下方に手指を回して、中指と薬指とでトリガー９を挟み込む状態でリールＲとシートベース７とを伴握りして、仕掛けのキャスティングやリーリングを行う。このように、キャスティングやリーリングの際に、リールＲが握り易くなっているので、リールＲを保持する負担が軽減されて、手に痛みを感ずることが少ない。
【００３５】
可動フード１０について説明する。図６（イ）（ロ）に示すように、可動フード１０は、シートベース７に外嵌される３／４円筒状のフード本体部１０Ａと、そのフード本体部１０Ａの上方に位置しリール脚Ｒａを保持するリール脚保持部１０Ｂとを一体で構成してある。
フード本体部１０Ａの内周面に突設されている突条１０ｃは、図示してはいないが、シートベース７のネジ部７Ａに形成したガイド溝に係合することによって、可動フード１０がシートベース７の軸線方向に沿ってスライド移動することを可能とさせている。
【００３６】
リール脚保持部１０Ｂは、内部空間内にリール脚Ｒａを内装して保持する保持機構Ｂを有しており、保持機構Ｂはリール脚Ｒａの両側端ａを挾持すべく内部空間の両側壁に形成された挾持部と、リール脚Ｒａの上面を保持する天井保持部１０ｂとを備えている。
天井保持部１０ｂは内部空間の奥側ほど、天井面が低くなる傾斜面に形成されている。
【００３７】
挾持部の構成について説明する。図６及び図７（イ）に示すように、挾持部は、可動フード１０のリール脚挿入用入口部分から僅かに内向きに傾斜する導入部１０ｄを所定長さだけ設け、その導入部１０ｄの奥側に急傾斜角度の保持傾斜面部１０ａ、１０ａを設け、更に、奥側に導入部１０ｄと同様の傾斜角度を呈する奥側孔部１０ｅを配して、構成してある。
保持傾斜面部１０ａ、１０ａは、内部空間の奥側ほど両側壁に形成された保持傾斜面部１０ａ、１０ａの間隔が狭くなるように、大きな傾斜角度の傾斜面に構成されており、リール脚Ｒａの長さや幅が異なるリール脚Ｒａに対しても取付固定できるように構成してある。
【００３８】
保持傾斜面部１０ａの傾斜角度θは角度が急なものに設定してある。この傾斜角度θは、５°から１５°の範囲に設定されている。これによって、次ぎのようなことが言える。
ここで、比較の対象になる従来の可動フード１０の挾持部の形状は、図７（ロ）に示すように、入口部から奥壁まで、一定の傾斜角度を呈するものにされている。
【００３９】
ここで、緩やかな傾斜角度θ２を呈する従来のものと、急な傾斜角度θ１を呈する本願発明のものとの違いを説明する。図７（イ）で示す傾斜角度θ１が急な場合においては、幅Ｐ１の狭い脚部Ｒａ１は奥側の位置ｃで挾持保持されるが、幅Ｐ２の広い脚部Ｒａ２は位置ｃより入口側に近い方の位置ｄで挾持保持される。図７（ロ）で示す傾斜角度θ２が緩やかな場合においては、幅Ｐ１の狭い脚部Ｒａ１は奥側の位置ｅで挾持保持されるが、幅Ｐ２の広い脚部Ｒａ２は位置ｅより入口側に近い方の位置ｆで挾持保持される。
【００４０】
図７（イ）の場合と図７（ロ）の場合とを比べてみると、図７（イ）の場合の方がリール脚Ｒａの幅の違いによる保持位置の変動が少ない。このことは、リール脚Ｒａ等の仕様が異なるリールＲであっても、可動フード１０での保持位置の変動が少ないと言える。
【００４１】
つまり、本願発明においては、保持傾斜面部１０ａの傾斜角度θを急なものとしてあるので、仕様の異なるリールＲを装着した場合にも、リールＲの取付位置の変動が少なく、釣り竿を支持する場合の持ち重り感や、リールＲから穂先竿先端までの重量と、リールＲから元竿の竿尻端までの重量とのバランスが変動することを少なくでき、操作し易い釣り
竿を提供できるに至った。
【００４２】
〔他の実施例〕
（１）可動フード１０における奥側孔部１０ｅは、小型のリール脚Ｒａを装着する場合にリール脚Ｒａの先端が入り込むことを許容する等の機能を果しているが、特に、設けなくともよい。
（２）奥側孔部１０ｅを貫通孔として形成してもよい。
（３）上記した保持機構Ｂにおいては、可動フード１０の上半部のリール脚保持部１０Ｂに構成する形態を記載したが、筒状リールシートにおいて、前記導入部１０ｄ、保持傾斜面部１０ａ、奥側孔部１０ｅを形成してもよい。
（４）板状リールシートの可動フード１０に、前記導入部１０ｄ、保持傾斜面部１０ａ、奥側孔部１０ｅを形成してもよい。
（５）リールを支持する形態としては、一対の可動フード１０で行っても良く、両軸受けリールＲに適合するものであれば、固定フード５は使用する必要はない。
（６）トリガー６を有していないリールＲに適用してもよい。
【図面の簡単な説明】
【００４３】
【図１】リールシートを釣り竿に取り付けた状態を示す側面図
【図２】リールシートを釣り竿に取り付けた状態を示す平面図
【図３】（イ）固定フードとトリガーとを示す縦断正面図、（ロ）固定フードとトリ    ガーとを示す側面図
【図４】（イ）リールを取り付けた固定フードとトリガーとを示し、ブランクをリー    ルシートの軸線に対して偏芯させた状態で取り付けている場合を示す側面図、（ロ）    リールを取り付けた固定フードとトリガーとを示し、ブランクをリールシートの軸線    位置に一致させた状態で取り付けている場合を示す側面図
【図５】リールをリールシートに取り付けた状態を示す縦断正面図
【図６】（イ）可動フードを示す正面図、（ロ）可動フードのリール脚取付部を示す    斜視図
【図７】（イ）可動フードにおけるリール脚保持部の傾斜角度を大きくしたものに幅    の異なるリール脚を挿入した状態を示す横断平面図、（ロ）可動フードにおけるリー    ル脚保持部の傾斜角度を小さくしたものに幅の異なるリール脚を挿入した状態を示す    横断平面図
【図８】リールシートを示す斜視図
【符号の説明】
【００４４】
１０            可動フード
１０Ｂ          リール脚保持部
１０Ｃ リール脚載置部
１０ａ          保持傾斜面部
１０ｄ          導入部
１０ｅ          奥側導入部
Ｒ リール
Ｒａ            リール脚
θ１            傾斜角度
【図１】
0005327827.tif 000002
【図２】
0005327827.tif 000003
【図３】
0005327827.tif 000004
【図４】
0005327827.tif 000005
【図５】
0005327827.tif 000006
【図６】
0005327827.tif 000007
【図７】
0005327827.tif 000008
【図８】
0005327827.tif 000009